【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
1つまたは複数のコードブロックグループ(CBG)を特定する構成メッセージを受信するステップと、
1つまたは複数の基準信号リソースがある期間の間優先送信のために横取りされることと関連付けられる基準信号横取り計画を特定するステップと、
前記基準信号横取り計画に従って前記期間の間に1つまたは複数の基準信号のリソースが横取りされたことを決定するステップと、
前記1つまたは複数の基準信号の前記リソースが横取りされることに少なくとも一部基づいて選択される、基準信号横取り応答計画を実施するステップと
を備え、
定められた数より少ない復調基準信号(DMRS)のためのリソースが前記期間の間横取りされたと決定するステップをさらに備え、
前記選択された基準信号横取り応答計画が、前記期間の間に横取りされないDMRSのために前記期間の間にチャネル復号および復調を実行することを備え、
前記期間の間に横取りされない前記DMRSの前記リソースに近接する1つまたは複数のコードブロックグループ(CBG)を特定するステップと、
前記1つまたは複数のCBGを復号するステップと
をさらに備える、方法。
【請求項２】
定められた数より多くのチャネル状態情報基準信号(CSI-RS)のためのリソースが前記期間の間横取りされたと決定するステップをさらに備え、
前記選択された基準信号横取り応答計画が、前記期間の間にチャネル測定および報告を実行するのを避けることを備え、
定められた数より多くのチャネル状態情報基準信号(CSI-RS)のためのリソースが前記期間の間に帯域幅部分の第1の区分のために横取りされたと決定するステップをさらに備え、
前記選択された基準信号横取り応答計画が、前記第1の区分と異なる前記帯域幅部分の第2の区分上で前記期間の間にチャネル測定および報告を実行することを備える、請求項1に記載の方法。
【請求項３】
チャネル状態情報基準信号(CSI-RS)のためのリソースが前記期間の間に横取りされていないと決定するステップと、
前記CSI-RSの前記リソースに近接するリソースを使用して送信される前記優先送信を復号して復調するためにレートマッチングを実行するステップと
をさらに備え、選択的に、
前記優先送信のために使用される近接リソースを有する前記CSI-RSの前記リソースを特定する構成メッセージを受信するステップをさらに備える、請求項1に記載の方法。
【請求項４】
定められた数より多くの復調基準信号(DMRS)のためのリソースが前記期間の間横取りされたと決定するステップをさらに備え、
前記選択された基準信号横取り応答計画が、前記期間の間に行われる前記優先送信の復号および復調を実行するのを控えることを備え、選択的に、
前記期間のためのハイブリッド自動再送/要求(HARQ)フィードバック情報を送信するのを控えるステップをさらに備える、請求項1に記載の方法。
【請求項５】
ユニキャスト復調基準信号(DMRS)のためのリソースが前記期間の間横取りされたと決定するステップをさらに備え、
前記選択された基準信号横取り応答計画が、前記期間の間に行われる前記優先送信を復号して復調するのを控えることを備える、請求項1に記載の方法。
【請求項６】
追跡基準信号(TRS)のためのリソースが前記期間の間横取りされたと決定するステップをさらに備え、
前記選択された基準信号横取り応答計画が、前記期間の間にチャネルのためのタイミングおよび周波数更新手順を実行するのを控えることを備えるか、または、
定められた数の追跡基準信号(TRS)のためのリソースが前記期間の間横取りされたと決定するステップをさらに備え、
前記選択された基準信号横取り応答計画が、前記期間の間に横取りされないTRSを使用して前記期間の間にタイミングおよび周波数更新手順を実行することを備える、請求項1に記載の方法。
【請求項７】
位相追跡基準信号(PTRS)のためのリソースが前記期間の間横取りされたと決定するステップをさらに備え、
前記選択された基準信号横取り応答計画が、前記期間の間に位相追跡更新手順を実行するのを控えることを備えるか、または、
定められた数の位相追跡基準信号(PTRS)のためのリソースが前記期間の間横取りされたと決定するステップをさらに備え、
前記選択された基準信号横取り応答計画が、前記期間の間に横取りされないPTRSを使用して前記期間の間に位相追跡更新手順を実行することを備える、請求項1に記載の方法。
【請求項８】
ワイヤレス通信のための方法であって、
1つまたは複数のコードブロックグループ(CBG)を特定する構成メッセージを送信するステップと、
1つまたは複数の基準信号リソースがある期間の間優先送信のために横取りされることと関連付けられる基準信号横取り計画を示す構成メッセージを送信するステップと、
前記基準信号横取り計画に従って前記期間の間に1つまたは複数の基準信号のリソースを横取りするステップと、
前記1つまたは複数の基準信号の前記リソースが横取りされることに少なくとも一部基づいて選択される、基準信号横取り応答計画を実施するステップと
を備え、
定められた数より少ない復調基準信号(DMRS)のためのリソースを前記期間の間に横取りするステップをさらに備え、
前記選択された基準信号横取り応答計画が、前記期間の間に横取りされない前記DMRSに基づいてハイブリッド自動再送/要求(HARQ)フィードバック情報を受信することを備え、
前記期間の間に横取りされない前記DMRSの前記リソースに近接する1つまたは複数のコードブロックグループ(CBG)を特定するステップと、
前記1つまたは複数のCBGを符号化するステップと
をさらに備える、方法。
【請求項９】
前記期間の間に定められた数より多くのチャネル状態情報基準信号(CSI-RS)のためのリソースを横取りするステップをさらに備え、
前記選択される基準信号横取り応答計画が、前記期間の間にチャネル測定および報告を受信するのを控えることを備えるか、または、
定められた数より多くのチャネル状態情報基準信号(CSI-RS)のためのリソースを前記期間の間に帯域幅部分の第1の区分のために横取りするステップをさらに備え、
前記選択された基準信号横取り応答計画が、前記第1の区分と異なる前記帯域幅部分の第2の区分上で前記期間の間にチャネル測定および報告を受信することを備える、請求項8に記載の方法。
【請求項１０】
チャネル状態情報基準信号(CSI-RS)のためのリソースを前記期間の間に横取りするのを控えるステップと、
前記CSI-RSの前記リソースに近接するリソースを使用して送信される前記優先送信を符号化して変調するためにレートマッチングを実行するステップと
をさらに備え、選択的に、
前記優先送信のために使用される近接リソースを有する前記CSI-RSの前記リソースを特定する構成メッセージを送信するステップをさらに備える、請求項8に記載の方法。
【請求項１１】
定められた数より多くの復調基準信号(DMRS)のためのリソースを前記期間の間に横取りするステップをさらに備え、
前記選択された基準信号横取り応答計画が、前記期間の間ハイブリッド自動再送/要求(HARQ)フィードバック情報を受信するのを控えることを備える、請求項8に記載の方法。
【請求項１２】
ワイヤレス通信のための装置であって、
1つまたは複数のコードブロックグループ(CBG)を特定する構成メッセージを受信するための手段と、
1つまたは複数の基準信号リソースがある期間の間優先送信のために横取りされることと関連付けられる基準信号横取り計画を特定するための手段と、
前記基準信号横取り計画に従って前記期間の間に1つまたは複数の基準信号のリソースが横取りされたことを決定するための手段と、
前記1つまたは複数の基準信号の前記リソースが横取りされることに少なくとも一部基づいて選択される、基準信号横取り応答計画を実施するための手段と
を備え、
定められた数より少ない復調基準信号(DMRS)のためのリソースが前記期間の間横取りされたと決定するための手段をさらに備え、
前記選択された基準信号横取り応答計画が、前記期間の間に横取りされないDMRSのために前記期間の間にチャネル復号および復調を実行することを備え、
前記期間の間に横取りされない前記DMRSの前記リソースに近接する1つまたは複数のコードブロックグループ(CBG)を特定するための手段と、
前記1つまたは複数のCBGを復号するための手段と
をさらに備える、装置。
【請求項１３】
請求項2乃至7のいずれか1項に記載の方法を実行するための手段をさらに備えた請求項12に記載の装置。
【請求項１４】
ワイヤレス通信のための装置であって、
1つまたは複数のコードブロックグループ(CBG)を特定する構成メッセージを送信するための手段と、
1つまたは複数の基準信号リソースがある期間の間優先送信のために横取りされることと関連付けられる基準信号横取り計画を示す構成メッセージを送信するための手段と、
前記基準信号横取り計画に従って前記期間の間に1つまたは複数の基準信号のリソースを横取りするための手段と、
前記1つまたは複数の基準信号の前記リソースが横取りされることに少なくとも一部基づいて選択される、基準信号横取り応答計画を実施するための手段と
を備え、
定められた数より少ない復調基準信号(DMRS)のためのリソースを前記期間の間に横取りするための手段をさらに備え、
前記選択された基準信号横取り応答計画が、前記期間の間に横取りされない前記DMRSに基づいてハイブリッド自動再送/要求(HARQ)フィードバック情報を受信することを備え、
前記期間の間に横取りされない前記DMRSの前記リソースに近接する1つまたは複数のコードブロックグループ(CBG)を特定するための手段と、
前記1つまたは複数のCBGを符号化するための手段と
をさらに備える、装置。
【請求項１５】
請求項9乃至11のいずれか1項に記載の方法を実行するための手段をさらに備えた請求項14に記載の装置。